(57)【要約】【課題】発光素子の発光により基盤に文字や記号やキャラクタを発光表示する簡易な構造で安価な発光表示盤を提供する。【解決手段】発光表示盤１０は、透明な絶縁性の厚板の一表面に点状や線状の凹部や凸部を設けてなる略正方形の表示基板１２と、表示基板の４辺中央に取り付けられた４個の発光ダイオード１１ａ〜１１ｄとを備えた発光表示板部１１と、発光表示板部１１の一表面の外縁側を囲んで重ね合わされた枠状で導電性の共通電極板１６と、発光表示板部１１の他表面の外縁側を囲み互いに絶縁状態で積層された４種類の枠状で導電性の上右下左個別電極板２５Ａ〜２５Ｄとを備えている。発光ダイオード１１ａ〜１１ｄから照射された光が、表示基板１２の内部を進行して、厚板の一表面に設けた点状や線状の凹部１３ｆにあたって乱反射することにより、表示基板の表面に設けた点や線を発光表示させることができる。【選択図】図１
2007140142.tif 000002
【特許請求の範囲】
【請求項１】
透明な絶縁性の厚板の表面に点状や線状の凹部や凸部を設けてなる表示基板と、該表示基板の縁部の少なくとも一箇所にて内部に向けて光が照射されるように該縁部に取り付けられた少なくとも１つの発光素子とを備えたことを特徴とする発光表示盤。
【請求項２】
前記表示基板の前記発光素子取付部分を除く周縁部に、光反射部を設けたことを特徴とする前記請求項１に記載の発光表示盤。
【請求項３】
前記複数の発光素子の発色を異ならせたことを特徴とする前記請求項１又は２に記載の発光表示盤。
【請求項４】
透明な絶縁性の厚板の表面に点状や線状の凹部や凸部を設けてなる表示基板と、該表示基板の縁部の２箇所以上の位置にて内部に向けて光が照射されるように該縁部に取り付けられた複数の発光素子とを備えた発光表示板部と、
該発光表示板部の一表面の外縁側を囲んで重ね合わされ、前記発光素子の共通電極に接続される枠状で導電性の共通電極板と、
前記発光表示板部の他表面の外縁側を囲み前記発光素子の他の電極に接続され互いに絶縁状態で積層された枠状で導電性の個別電極板と
を備えたことを特徴とする発光表示盤。
【請求項５】
前記発光表示板部の前記発光素子取付部分を除く周縁部に、光反射部を設けたことを特徴とする前記請求項４に記載の発光表示盤。
【請求項６】
前記複数の発光素子の発色を異ならせたことを特徴とする前記請求項４又は５に記載の発光表示盤。
【請求項７】
前記発光表示板部を長方形とし、該発光表示板部の縁部のいずれかを外方に突出した係合突出部とし、その他の縁部を内方に凹んだ前記係合突出部と嵌め合わせ可能な係合凹部としたことを特徴とする前記請求項４から６のいずれか１項に記載の発光表示盤。
【請求項８】
透明な絶縁性の厚板の表面に点状や線状の凹部や凸部を設けると共に、該厚板の中央に貫通穴を設けた表示基板と、該貫通穴の周縁部の複数個所にて該厚板内部に向けて光が照射されるように該周縁部に取り付けられた複数の発光素子とを備えたことを特徴とする発光表示盤。
【請求項９】
前記表示基板の外周縁部に、光反射部を設けたことを特徴とする前記請求項８に記載の発光表示盤。
【請求項１０】
前記複数の発光素子の発色を異ならせたことを特徴とする前記請求項８又は９に記載の発光表示盤。
【請求項１１】
透明な絶縁性の筒状の厚板の内表面に点状や線状の凹部や凸部を設けてなる筒状表示基板と、該筒状表示基板の少なくとも一端側の縁部の複数箇所にて内部に向けて光が照射されるように該縁部に取り付けられた発光素子とを備えたことを特徴とする発光表示盤。
【請求項１２】
前記筒状表示基板の前記発光素子取付部分を除く周縁部に、光反射部を設けたことを特徴とする前記請求項１１に記載の発光表示盤。
【請求項１３】
前記複数の発光素子の発色を異ならせたことを特徴とする前記請求項１１又は１２に記載の発光表示盤。
【発明の詳細な説明】
【技術分野】
【０００１】
本発明は、発光素子の発光により基盤に文字や記号やキャラクタを発光表示する発光表示盤に関する。
【背景技術】
【０００２】
従来、発光表示盤としては、平坦な基盤に多数の発光ダイオードを配列し、該発光ダイオードの発光を制御することにより、基盤に文字や記号やキャラクタを発光表示するものが知られている。しかし、この発光表示盤は、多数の発光ダイオードが必要になると共に、発光制御のための複雑な制御装置が必要になるため、装置の価格が非常に高価になる。そのため、この発光表示盤は、精密な発光表示が必要な分野には採用されているが、発光表示の態様が１つ２つと少ない簡易な表示でよいような用途では、価格が高価であるために簡単に採用することができないという問題があった。本件発明者は、透明な絶縁性の厚板の表面に点状や線状の凹部や凸部を設けてなる表示基板の縁部に発光素子を取り付けて、厚板の内部に光を照射することにより凹部や凸部にあたって乱反射し、基盤の表面側から見て凹部や凸部で発光しているように見えることを見出し、本発明に想到したのである。
【発明の開示】
【発明が解決しようとする課題】
【０００３】
本発明は、発光素子の発光により基盤に文字や記号やキャラクタを発光表示する簡易な構造で安価な発光表示盤を提供することを目的とするものである。
【課題を解決するための手段】
【０００４】
上記目的を達成するために本発明の構成上の特徴は、透明な絶縁性の厚板の表面に点状や線状の凹部や凸部を設けてなる表示基板と、表示基板の縁部の少なくとも一箇所にて内部に向けて光が照射されるように縁部に取り付けられた少なくとも１つの発光素子とを備えたことにある。なお、発光素子としては、発光ダイオード、レーザダイオードが適用される。
【０００５】
本発明においては、透明な絶縁性の厚板の表面に点状や線状の凹部や凸部を設けてなる表示基板に取り付けられた少なくとも１つの発光素子から照射された光が、厚板の内部を進行して、厚板の表面に設けた点状や線状の凹部や凸部にあたって乱反射することにより、基盤の表面側から見て凹部や凸部で発光しているように見えるため、基盤の表面に設けた点や線によって図形や文字を発光表示することができる。また、少数の発光素子により、点や線からなる固定した文字やキャラクタを表示できるので、従来に比べて非常に発光表示盤の構成が簡易にされるため、非常に安価に提供される。さらに、発光表示盤の厚さを表示基板の厚さ程度に薄くすることができるので、発光表示盤の取り扱いが容易になると共に狭い場所にも設置することが可能になる。
【０００６】
また、本発明において、表示基板の発光素子取付部分を除く周縁部に、光反射部を設けることができる。これにより、発光素子から照射された光の外部への透過を防止することができるため、光を有効に活用することができ、さらに効率のよい発光表示を行うことが可能になる。また、本発明において、複数の発光素子の発色を異ならせることができ、これにより、発光表示に変化をもたせることができ、さらに表示効果が高められる。
【０００７】
また、本発明の第２の特徴は、透明な絶縁性の厚板の表面に点状や線状の凹部や凸部を設けてなる表示基板と、表示基板の縁部の２箇所以上の位置にて内部に向けて光が照射されるように縁部に取り付けられた複数の発光素子とを備えた発光表示板部と、発光表示板部の一表面の外縁側を囲んで重ね合わされ、発光素子の共通電極に接続される枠状で導電性の共通電極板と、発光表示板部の他表面の外縁側を囲み発光素子の他の電極に接続され互いに絶縁状態で積層された枠状で導電性の個別電極板とを備えたことにある。
【０００８】
第２の特徴においては、発光表示板部の一表面の外縁側を囲んで共通電極板を重ね合せ、発光表示板部の他表面の外縁側を囲み複数の導電性の個別電極板を互いに絶縁された状態で重ね合わせて積層されたことにより、表示基板の縁部に取り付けられた複数の発光素子の電極端子を共通電極板と個別電極板に接続することにより、発光素子の電極を発光表示板部の近接した位置で取り出すことが出来る。そのため、複数の発光素子から表示基板への電極の取出しが容易になる。また、発光表示盤の複数の発光素子へ通電することにより、複数位置の発光素子から照射された光が、厚板の内部を進行して、厚板の一表面に設けた点状や線状の凹部や凸部にあたって乱反射することにより、基盤の表面側から見て凹部や凸部で発光しているように見える。その結果、本発明においては、基盤の表面に設けた点や線において簡易に発光表示を行うことができる。さらに、本発明においては、複数位置に設けた発光素子の通電制御を簡易に行うことが出来るため、発光表示盤における発光表示の多様性が確保される。
【０００９】
また、第２の特徴において、表示基板の発光素子取付部分を除く周縁部に、光反射部を設けることができ、これにより、発光素子から照射された光を有効に活用することができ、さらに効率のよい表示を行うことができる。また、複数の発光素子の発色を異ならせることができ、これにより、表示に変化をもたせることができ、さらに表示効果が高められる。
【００１０】
また、第２の特徴において、発光表示板部を長方形とし、発光表示板部の縁部のいずれかを外方に突出した係合突出部とし、その他の縁部を内方に凹んだ係合突出部と嵌め合わせ可能な係合凹部とすることができる。これにより、複数の発光表示盤を縦横に多数つなぎ合わせることが出来、そのため、複数の発光表示盤によりさらに多様な発光表示を行うことが可能になる。
【００１１】
また、本発明の第３の特徴は、透明な絶縁性の厚板の表面に点状や線状の凹部や凸部を設けると共に、厚板の中央に貫通穴を設けた表示基板と、貫通穴の周縁部の複数個所にて厚板内部に向けて光が照射されるように周縁部に取り付けられた複数の発光素子とを備えたことにある。
【００１２】
第３の特徴においては、表示基板中央に設けた貫通穴の周縁部の複数個所にて厚板内部に向けて光が照射されるように縁部に取り付けられた複数の発光素子によって貫通穴から四方八方に光を照射することにより、厚板の一表面に設けた点状や線状の凹部や凸部にあたって乱反射することにより、基盤の表面側から見て凹部や凸部で発光しているように見えるため、基盤の表面に設けた点や線によって図形や文字を発光表示することができる。
【００１３】
また、第３の特徴において、表示基板の発光素子取付部分を除く周縁部に、光反射部を設けることができ、これにより、発光素子から照射された光を有効に活用することができ、さらに効率のよい表示を行うことができる。また、複数の発光素子の発色を異ならせることができ、これにより、表示に変化をもたせることができ、さらに表示効果が高められる。
【００１４】
また、本発明の第４の特徴は、透明な絶縁性の筒状の厚板の内表面に点状や線状の凹部や凸部を設けてなる筒状表示基板と、筒状表示基板の少なくとも一端側の縁部の複数箇所にて内部に向けて光が照射されるように縁部に取り付けられた発光素子とを備えたことにある。
【００１５】
第４の特徴においては、筒状表示基板の少なくとも一端側の縁部の複数箇所に取り付けられた発光素子から照射された光が、厚板の内部を進行して、筒状の厚板の内表面に設けた三次元に配列された点状や線状の凹部や凸部にあたって乱反射することにより、基盤の外側からから見て凹部や凸部で発光しているように見える。そのため、第４の特徴によれば、三次元に配列された点や線によって図形や文字を立体的に発光表示させることができる。
【００１６】
また、第４の特徴において、筒状表示基板の発光素子取付部分を除く周縁部に、光反射部を設けることができ、これにより、発光素子から照射された光を有効に活用することができ、さらに効率のよい表示を行うことができる。また、複数の発光素子の発色を異ならせることができ、これにより、表示に変化をもたせることができ、さらに表示効果が高められる。
【発明の効果】
【００１７】
本発明によれば、透明な絶縁性の厚板の表面に点状や線状の凹部や凸部を設けてなる表示基板に取り付けられた少なくとも１つの発光素子から照射された光が、厚板の内部を進行して、厚板の一表面に設けた点状や線状の凹部や凸部にあたって乱反射することにより、基盤の表面側から見て凹部や凸部で発光しているように見えるため、従来に比べて非常に簡易且つ安価に基盤の表面に設けた点や線によって図形や文字を発光表示することができる。
【発明を実施するための最良の形態】
【００１８】
以下、本発明の実施の形態について説明する。図１、図２は、実施例１である発光表示盤を正面図及び平面図により示したものであり、図３は、発光表示盤を支持台に取り付けた状態を正面図により示し、図４は、発光表示盤を取り付ける支持台を平面図により示したものである。発光表示盤１０は、透明な絶縁性の厚板の一表面に点状や線状の凹部や凸部を設けてなる略正方形の表示基板１２とその４辺中央に取り付けられた４個の発光ダイオード１１ａ〜１１ｄとを備えた発光表示板部１１と、発光表示板部１１の一表面（図１の前面）の外縁側を囲んで重ね合わされた枠状で導電性の共通電極板１６と、発光表示板部１１の他表面（図１の背面）の外縁側を囲み互いに絶縁状態で積層された４種類の枠状で導電性の上右下左個別電極板２５Ａ〜２５Ｄとを備えている。なお、本実施例では、発光表示盤１０は、立てた状態で使用されるものであり、その上下左右並びに前後については、図１，図３の上下左右並びに前後に合わせるものとする。
【００１９】
表示基板１２は、図５Ａ〜図５Ｃに示すように、アクリル製の厚板であり、正方形の基部１３と、その上辺１３ａ、右辺１３ｂ、下辺１３ｃ、左辺１３ｄにおいて中央を除いた両側からそれぞれ突出した各一対の取付凸部１４ａ，１４ｂ及び取付凹部１４ｃ，１４ｄを設けている。基板１３の中央の正方形の領域内には、１６個の円形の凹部１３ｆが一表面（図５Ａの前面）から凹んで設けられている。上辺１３ａ、右辺１３ｂ、下辺１３ｃ、左辺１３ｄの中央には、取付孔１５ａ，１５ｂ，１５ｃ，１５ｄが基板中心に向けて設けられており、取付孔１５ａ〜１５ｄにはそれぞれ発光ダイオード１１ａ〜１１ｄが挿嵌される。各取付凸部１４ａ，１４ｂ及び取付凹部１４ｃ，１４ｄは、それぞれが各辺の１／４よりわずかに長くなっており、それぞれの長手方向外側端において４５°に切りかかれて傾斜して揃えられている。取付凸部１４ａ，１４ｂは、板の厚さ方向両側が傾斜した断面三角形の山形に突出した係合突出部であり、また取付凹部１４ｃ，１４ｄは、板の厚さ方向両側は平坦で、その外縁側から基部１３に向けてＶ状に切りかかれたＶ状溝になった係合凹部である。取付凸部１４ａ，１４ｂの山形と、取付凹部１４ｃ，１４ｄのＶ状溝は、対称形状になっており、２枚の表示基板１２の取付凸部１４ａ，１４ｂの山形と、取付凹部１４ｃ，１４ｄのＶ状溝は、緊密に嵌め合わせ可能になっている。
【００２０】
共通電極板１６は、図６Ａ，図６Ｂに示すように、表示基板１２とほぼ同一の正方形状の枠であり、厚さ０．１ｍｍ程度の金属薄板である導電板１７に、アクリル製の厚さ０．０５ｍｍ程度のフィルムである絶縁板２１を接着させた薄板になっている。導電板１７は、中央に正方形の大きな開口１７Ａを設けた枠形状であり、外周縁の上辺１７ａ、右辺１７ｂ、下辺１７ｃ、左辺１７ｄにおいて中央を除いた両側からそれぞれ突出した長方形の各一対の突出板部１８ａ，１８ｂ，１８ｃ，１８ｄを設けている。各突出板部１８ａ，１８ｂ，１８ｃ，１８ｄは、それぞれが各辺の１／４よりわずかに長くなっており、それぞれの外側の下端側において４５°に傾斜した傾斜部分でつなげられている。また、上辺１７ａ、右辺１７ｂ、下辺１７ｃ、左辺１７ｄにおいて、右側の突出板部１８ａ、下側の突出板部１８ｂ、左側の突出板部１８ｃ、上側の突出板部１８ｄの近傍位置には、それぞれ接続片１９ａ，１９ｂ，１９ｃ，１９ｄが設けられている。接続片１９ａ〜１９ｄは、長さが各一対の突出板部１８ａ〜１８ｄ間の長さの略１／５程度であり、高さが各一対の突出板部１８ａ〜１８ｄの高さの１／２より小さくなっており、上記発光ダイオード１１ａ〜１１ｄの−電極に接続される。
【００２１】
絶縁板２１は、外周縁が上記導電板１７の外形よりわずかに大きく、中央に上記開口１７Ａよりわずかに小さい正方形の開口２１Ａを設けた枠形状であり、外周縁の上辺２２ａ、右辺２２ｂ、下辺２２ｃ、左辺２２ｄにおいて中央を除いた両側からそれぞれ突出した長方形の各一対の突出片部２３ａ，２３ｂ，２３ｃ，２３ｄを設けている。各突出片部２３ａ〜２３ｄは、それぞれが各辺の１／４よりわずかに長くなっており、それぞれの外側の下端側において４５°に傾斜した傾斜部分でつなげられている。各突出片部２３ａ〜２３ｄは、上記各突出板部１８ａ，１８ｂ，１８ｃ，１８ｄの両側にわずかに延びて、幅がわずかに広くなっている。また、各突出片部２３ａ〜２３ｄの外方に延びた高さは、上記各突出板部１８ａ〜１８ｄの高さよりわずかに小さくなっている。すなわち、上記各突出板部１８ａ〜１８ｄは、各突出片部２３ａ〜２３ｄよりわずかに外方に突出した状態になっている。
【００２２】
上個別電極板２５Ａは、図７Ａ，図７Ｂに示すように、共通電極版１６とほぼ同一形状で同一厚さの枠であり、厚さ０．１ｍｍ程度の金属薄板である導電板２６に、上記絶縁板２１を接着させた薄板になっている。導電板２６は、上記導電板１７と基本的に同一形状であり、中央に上記開口１７Ａと同一の開口２６Ａを設けた枠形状であり、外周縁の上辺２７ａ、右辺２７ｂ、下辺２７ｃ、左辺２７ｄにおいて中央を除いた両側からそれぞれ突出した長方形の各一対の突出板部２８ａ，２８ｂ，２８ｃ，２８ｄを設けている。各突出板部２８ａ，２８ｂ，２８ｃ，２８ｄは、上記各突出板部１８ａ，１８ｂ，１８ｃ，１８ｄと同一幅であり、それぞれが各辺の１／４よりわずかに長くなっており、それぞれの外側の下端側において４５°に傾斜した傾斜部分でつなげられている。
【００２３】
また、各突出板部２８ａ，２８ｂ，２８ｃ，２８ｄは、それぞれ各辺２７ａ，２７ｂ，２７ｃ，２７ｄに沿った外側の全長に対して１／４程度の長さの部分のみが上記各突出板部１８ａ，１８ｂ，１８ｃ，１８ｄと同一高さの突出片２８ａ１，２８ｂ１，２８ｃ１，２８ｄ１となっており、他の部分は各突出片部２３ａ，２３ｂ，２３ｃ，２３ｄの高さよりわずかに低くなっている。また、上辺１７ａのみにおいて、左側の突出板部２８ａの近傍位置には、電極片２９が設けられている。電極片２９は、長さが一対の突出板部２８ａ間の長さの略１／５程度であり、高さが突出板部１８ａの高さよりわずかに小さくなっており、上記発光ダイオード１１ａの＋電極に接続される。
【００２４】
右個別電極板２５Ｂは、図８に示すように、上個別電極版２５Ａとほぼ同一形状の枠であり、導電板３１に、上記絶縁板２１を接着させた薄板になっている。導電板３１は、上記導電板２６と基本的に同一形状であり、中央に上記開口２６Ａと同一の開口３１Ａを設けた枠形状であり、外周縁の上辺３２ａ、右辺３２ｂ、下辺３２ｃ、左辺３２ｄにおいて中央を除いた両側からそれぞれ突出した長方形の各一対の突出板部３３ａ，３３ｂ，３３ｃ，３３ｄを設けている。各突出板部３３ａ〜３３ｄは、各突出板部２８ａ〜２８ｄと同一幅であり、それぞれが各辺の１／４よりわずかに長くなっており、それぞれの外側の下端側において４５°に傾斜した傾斜部分でつなげられている。また、各突出板部３３ａ〜３３ｄは、それぞれ各辺３２ａ〜３２ｄに沿った全長に対して４等分した外側から２番目の部分のみが上記各突出板部１８ａ〜１８ｄと同一高さの突出片３３ａ１，３３ｂ１，３３ｃ１，３３ｄ１となっており、他の部分は各突出片部２３ａ〜２３ｄの高さよりわずかに低くなっている。また、右辺３２ｂのみにおいて、上側の突出板部３３ｂの近傍位置には、上記電極片２９と同一形状の電極片３４が設けられており、上記発光ダイオード１１ｂの＋電極に接続される。
【００２５】
下個別電極板２５Ｃは、図９に示すように、上個別電極版２５Ａとほぼ同一形状の枠であり、導電板３６に、上記絶縁板２１を接着させた薄板になっている。導電板３６は、上記導電板２６と基本的に同一形状であり、中央に上記開口２６Ａと同一の開口３６Ａを設けた枠形状であり、外周縁の上辺３７ａ、右辺３７ｂ、下辺３７ｃ、左辺３７ｄにおいて中央を除いた両側からそれぞれ突出した長方形の各一対の突出板部３８ａ，３８ｂ，３８ｃ，３８ｄを設けている。各突出板部３８ａ〜３８ｄは、上記各突出板部２８ａ〜２８ｄと同一幅であり、それぞれの外側の下端側において４５°に傾斜した傾斜部分でつなげられている。また、各突出板部３８ａ〜３８ｄは、それぞれ各辺３７ａ〜３７ｄに沿った全長に対して４等分した外側から３番目の部分のみが上記各突出板部１８ａ〜１８ｄと同一高さの突出片３８ａ１，３８ｂ１，３８ｃ１，３８ｄ１となっており、他の部分は各突出片部２３ａ〜２３ｄの高さよりわずかに低くなっている。また、下辺３７ｃのみにおいて、右側の突出板部３８ｃの近傍位置には、上記電極片２９と同一形状の電極片３９が設けられており、上記発光ダイオード１１ｃの＋電極に接続される。
【００２６】
左個別電極板２５Ｄは、図１０に示すように、上個別電極版２５Ａとほぼ同一形状の枠であり、導電板４１に、上記絶縁板２１を接着させた薄板になっている。導電板４１は、上記導電板２６と基本的に同一形状であり、中央に上記開口２６Ａと同一の開口４１Ａを設けた枠形状であり、外周縁の上辺４２ａ、右辺４２ｂ、下辺４２ｃ、左辺４２ｄにおいて中央を除いた両側からそれぞれ突出した長方形の各一対の突出板部４３ａ，４３ｂ，４３ｃ，４３ｄを設けている。各突出板部４３ａ〜４３ｄは、各突出板部２８ａ〜２８ｄと同一幅であり、それぞれが各辺の１／４よりわずかに長くなっており、それぞれの外側の下端側において４５°に傾斜した傾斜部分でつなげられている。また、各突出板部４３ａ〜４３ｄは、それぞれ各辺４２ａ〜４２ｄに沿った外側の全長に対して４等分した外側から４番目(内端側)の部分のみが上記各突出板部１８ａ〜１８ｄと同一高さの突出片４３ａ１，４３ｂ１，４３ｃ１，４３ｄ１となっており、他の部分は各突出片部２３ａ〜２３ｄの高さよりわずかに低くなっている。また、左辺４３ｄのみにおいて、下側の突出板部４３ｄの近傍位置には、上記小突出部２９と同一形状の電極片４４が設けられており、上記発光ダイオード１１ｄの＋電極に接続される。
【００２７】
発光表示盤１０は、図１，図２に示すように、表示基板１２の４辺中央に４個の発光ダイオード１１ａ〜１１ｄが取り付けられた発光表示板部１１の一表面（図１の前面）に共通電極板１６を重ねて接着剤で固定し、発光表示板部１１の他表面（図１の背面）に上右下左個別電極板２５Ａ〜２５Ｄを順次重ね合わせて接着剤で固定することにより形成される。共通電極板１６の一対の突出板部１８ａ，１８ｂ，１８ｃ，１８ｄ及び接続片１９ａ，１９ｂ，１９ｃ，１９ｄは表示基板１２の前面側で各取付凸部１４ａ，１４ｂ及び取付凹部１４ｃ，１４ｄに重ねあわされる。また、上個別電極板２５Ａの各突出片２８ａ１，２８ｂ１，２８ｃ１，２８ｄ１及び電極片２９と、右個別電極板２５Ｂの各突出片３３ａ１，３３ｂ１，３３ｃ１，３３ｄ１及び電極片３４と、下個別電極板２５Ｃの各突出片３８ａ１，３８ｂ１，３８ｃ１，３８ｄ１及び電極片３９、左個別電極板２５Ｄの各突出片４３ａ１，４３ｂ１，４３ｃ１，４３ｄ１及び電極片４４は、表示基板１２の背面側で各取付凸部１４ａ，１４ｂ及び取付凹部１４ｃ，１４ｄに重ねあわされる。
【００２８】
発光表示盤１０を支持する組立台５１は、図３、図４に示すように、平板５２上に相対向する前後一対の支持板部５３，５４が発光表示盤１０の厚さと同等の間隔を隔てて立設されている。支持板部５３，５４間の平板５２上には、支持板部５３側に共通電極５５が形成されており、支持板部５４側には外側から順に個別電極５６ａ，５６ｂ，５６ｃ，５６ｄが形成されている。発光表示盤１０は、支持板部５３，５４間に嵌めあわされて、組立台５１に立てた状態で使用される。これにより、発光表示基盤１０に取り付けられた発光ダイオード１１ｃの電極が、組立台５１の共通電極５５及び個別電極５６ａ，５６ｂ，５６ｃ，５６ｄを通して外部に取り出されるようになる。
【００２９】
本実施例１においては、共通電極板１６と個別電極２５Ａ〜２５Ｄを表示基板１２を挟んで積層させることにより、表示基板１２の縁部の４箇所にて内部に向けて光が照射されるように縁部に取り付けられた複数の発光ダイオード１１ａ〜１１ｄの両電極を、発光表示板部１１の近接した位置で取り出すことが出来る。そのため、複数の発光ダイオード１１ａ〜ｄからｄから表示基板１２への電極の取出しが容易になる。また、発光表示盤１０の複数の発光ダイオード１１ａ〜１１ｄへ通電することにより、上下左右の４箇所に設けた発光ダイオード１１ａ〜１１ｄから照射された光が、表示基板１２の内部を進行して、厚板の一表面に設けた点状や線状の凹部１３ｆにあたって乱反射することにより、発光表示板部１１の表面側から見て凹部で発光しているように見える。その結果、実施例１においては、発光表示盤１０の表面に設けた点や線において簡易に発光表示を行うことができる。さらに、４箇所に設けた発光ダイオード１１ａ〜１１ｄの通電制御を簡易に行うことが出来るため、発光表示盤１０における発光表示の多様性が確保される。
【００３０】
また、実施例１において、発光表示板部１１の発光ダイオード１１ａ〜１１ｄ取付部分を除く周縁部に、光反射部として共通電極板１６及び個別電極板２５Ａ〜２５Ｄを設けて光の透過を遮ることにより、発光ダイオード１１ａ〜１１ｄから照射された光を有効に活用することができ、さらに効率のよい発光表示を行うことができる。また、複数の発光ダイオード１１ａ〜１１ｄの発色を異ならせることができ、これにより、表示に変化をもたせることができ、さらに表示効果が高められる。また、実施例１において、発光表示板部１１を長方形とし、発光表示板部１２の上辺及び右辺に外方に突出した取付凸部１４ａ，１４ｂを設け、下辺及び左辺に内方に凹んだ取付凸部１４ａ，１４ｂと嵌め合わせ可能な取付凹部１４ｃ，１４ｄを設けたことにより、複数の発光表示盤１０を縦横に多数つなぎ合わせることが出来、そのため、複数の発光表示盤１０によりさらに多様な発光表示を行うことが可能になる。
【００３１】
つぎに、本発明の実施例２について説明する。
実施例２の発光表示盤６０は、図１１に示すように、透明な絶縁性の正方形の厚板の一表面に「Ａ」を表すように線状の凹部６２を組み合わせて形成した正方形の表示基板６１と、表示基板６１の１辺中央に取り付けられた１個の発光ダイオード６３とを備えている。また、表示基板６１の発光ダイオード取り付け部分を除く周縁は、金属箔６４が取り付けられており、周縁部分で光を反射するようになっている。
【００３２】
実施例２においては、発光表示盤６０に取り付けられた発光ダイオード６３に通電することにより、発光ダイオード６３から照射された光が、表示基板６１の内部を進行して、厚板の一表面に設けた線状の凹部６２にあたって乱反射することにより、表示基板６１の表面側から見て凹部６２の組み合わせ部分で発光しているように見える。そのため、簡易な構造の表示基板６１の表面に「Ａ」の文字を発光表示させることができる。
【００３３】
つぎに、本発明の実施例３について説明する。
実施例３である発光表示盤７０は、図１２に示すように、透明な絶縁性の厚板である表示基板７１を台７７上に立設した置物タイプの表示盤である。表示基板７１は上側が半円形で下側が長方形になっており、半円形の中心に対して４本の同心円形の線と同心円間を９０°間隔で径方向に結ぶ直線とを形成する線状凹部７２と、同心円間に配置された複数の点である点状凹部７３を設けている。表示基板７１の下端の取付部７４には、横方向の複数個所に発光ダイオード７５が上方に向けて取り付けられている。また、表示基板７１の外周縁には、金属箔７６が取り付けられており、周縁部分で光を反射するようになっている。
【００３４】
実施例３においては、発光表示盤７０に取り付けられた複数の発光ダイオード７５に通電することにより、発光ダイオード７５から照射された光が、表示基板７１の内部を進行して、一表面に設けた線状凹部７２及び点状凹部７３にあたって乱反射することにより、表示基板７１の表面側から見て凹部７２，７３の組み合わせ部分で発光しているように見えるため、表示基板７１の表面に模様を発光表示することができる。
【００３５】
つぎに、本発明の実施例４について説明する。
実施例４である発光表示盤８０は、図１３に示すように、略矩形形状で外周が曲線状の凹凸に形成された透明な絶縁性の厚板である表示基板８１の中央に円形の貫通孔８２を設けており、貫通穴をのぞく表示基板８１の一表面側には点状の凹部８３を点在させたものである。貫通孔８２の周縁の複数個所には、発光ダイオード８４が取り付けられて基板内に向けて取り付けられている。また、表示基板８１の外周縁には、金属箔８６が取り付けられており、周縁部分で光を反射するようになっている。
【００３６】
実施例４においては、発光表示盤８０に取り付けられた複数の発光ダイオード８４に通電することにより、発光ダイオード８４から照射された光が、貫通孔８２の四方に向けて表示基板８１の内部を進行して、一表面に設けた点状の凹部８３にあたって乱反射することにより、表示基板８１の表面側から見て多数の凹部８３で発光しているように見えるため、表示基板８１の表面に模様を発光表示することができる。
【００３７】
つぎに、本発明の実施例５について説明する。
実施例５である発光表示盤９０は、図１４に示すように、透明な絶縁性の円筒形厚板である筒状表示基板９１を用いた置物タイプの表示盤である。表示基板９１は、内周面９１ａに点在した多数の星形の凹部９２を設けている。表示基板９１の上端部９３には、複数個所に発光ダイオード９５が下方向に向けて取り付けられており、表示基板９１の下端部９３には、複数個所に発光ダイオード９４が上方向に向けて取り付けられている。また、表示基板９１の外周縁には、光反射部として図示しない金属膜が取り付けられており光を反射するようになっている。発光表示盤９０は、通常は軸方向を上下に向けて配置して使用されるが、水平あるいは傾斜状態で使用することも可能である。
【００３８】
実施例５においては、筒状表示基板９１の上下端部の複数箇所に取り付けられた発光ダイオード９４から照射された光が、基板９１の内部を進行して内表面に設けた三次元に配列された点状や線状の凹部９２にあたって乱反射することにより、発光表示盤９０の外側からから見て凹部９２で発光しているように見える。そのため、実施例５によれば、三次元に配列された星形の凹部９２によって立体的に発光表示させることができ、発光表示の効果がさらに高められる。
【００３９】
なお、上記各実施例に示した発光表示盤の形態については一例であり、本発明の趣旨を逸脱しない範囲で種々変更して実施することが可能である。
【産業上の利用可能性】
【００４０】
本発明の発光表示盤は、透明な絶縁性の厚板の一表面に点状や線状の凹部や凸部を設けてなる表示基板に取り付けられた少なくとも１つの発光素子から照射された光が、厚板の表面に設けた点状や線状の凹部や凸部にあたって乱反射することにより、基盤の表面側から見て凹部や凸部で発光しているように見えるため、基盤の表面に設けた点や線によって簡易且つ安価に図形や文字を発光表示することができるため、有用である。
【図面の簡単な説明】
【００４１】
【図１】本発明の実施例１である発光表示盤を概略的に示す正面図である。
【図２】発光表示盤を概略的に示す平面図である。
【図３】発光表示盤を組立て台に取り付けた状態を概略的に示す正面図である。
【図４】組立て台を概略的に示す平面図である。
【図５Ａ】発光表示盤を構成する表示基板を示す正面図である。
【図５Ｂ】発光表示盤を構成する表示基板を示す平面図である。
【図５Ｃ】発光表示盤を構成する表示基板を示す底面図である。
【図６Ａ】発光表示盤を構成する共通電極板を示す正面図である。
【図６Ｂ】発光表示盤を構成する共通電極板を示す平面図である。
【図７Ａ】発光表示盤を構成する上個別電極板を示す正面図である。
【図７Ｂ】発光表示盤を構成する上個別電極板を示す平面図である。
【図８】発光表示盤を構成する右個別電極板を示す正面図である。
【図９】発光表示盤を構成する下個別電極板を示す正面図である。
【図１０】発光表示盤を構成する左個別電極板を示す正面図である。
【図１１】実施例２である発光表示盤を概略的に示す正面図である。
【図１２】実施例３である発光表示盤を概略的に示す正面図である。
【図１３】実施例４である発光表示盤を概略的に示す正面図である。
【図１４】実施例５である筒状の発光表示盤を概略的に示す斜視図である。
【符号の説明】
【００４２】
１０…発光表示盤、１１…発光表示板部、１１ａ〜１１ｄ…発光ダイオード、１２…表示基板、１３ｆ…凹部、１４ａ，１４ｂ…取付凸部、１４ｃ，１４ｄ…取付凹部、１６…共通電極板、１７…導電板、２１…絶縁板、２５Ａ〜２５Ｄ…上右下左個別電極板、２６…導電板、３６…導電板、４１…導電板、５１…組立台、６０…発光表示盤、６１…表示基板、６２…凹部、６３…発光ダイオード、７０…発光表示盤、７１…表示基板、７２…線状凹部、７３…点状凹部、７５…発光ダイオード、８０…発光表示盤、８１…表示基板、８２…貫通孔、８３…凹部、８４…発光ダイオード、９０…発光表示盤、９１…筒状表示基板、９２…凹部、９４…発光ダイオード。
【図１】
2007140142.tif 000003
【図２】
2007140142.tif 000004
【図３】
2007140142.tif 000005
【図４】
2007140142.tif 000006
【図５Ａ】
2007140142.tif 000007
【図５Ｂ】
2007140142.tif 000008
【図５Ｃ】
2007140142.tif 000009
【図６Ａ】
2007140142.tif 000010
【図６Ｂ】
2007140142.tif 000011
【図７Ａ】
2007140142.tif 000012
【図７Ｂ】
2007140142.tif 000013
【図８】
2007140142.tif 000014
【図９】
2007140142.tif 000015
【図１０】
2007140142.tif 000016
【図１１】
2007140142.tif 000017
【図１２】
2007140142.tif 000018
【図１３】
2007140142.tif 000019
【図１４】
2007140142.tif 000020